【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
光学的に等方性の媒体で形成され、かつ、第１方向に複数並んで形成されているとともに、それぞれ前記第１方向と直交した第２方向に延びた複数の円弧状の凸部が表面に形成された等方性媒体層と、
光学的に一軸性の媒体で形成され、かつ、前記第１方向に複数並んで形成されているとともに、それぞれ前記第２方向に延びた複数の円弧状の凹部が表面に形成された異方性媒体層と、を備え、
前記等方性媒体層および前記異方性媒体層は各凸部と各凹部とが密着した状態で積層されている光学シート。
【請求項２】
前記等方性媒体層は前記第１表面の反対側に位置した滑らかな第３表面を有し、前記異方性媒体層は前記第２表面の反対側に位置した滑らかな第４表面を有している請求項１に記載の光学シート。
【請求項３】
前記光学シートは、この光学シートに入射される前記第１方向の偏光を、偏光方向を維持し、かつ、散乱して出射させるとともに、この光学シートに入射される前記第２方向の偏光を、偏光方向を維持し、かつ、この光学シートの法線方向に集光して出射させる請求項１または２に記載の光学シート。
【請求項４】
前記各凹部の中心の複数個所を通る中心線は、前記第２方向と略平行に延びている請求項１ないし３のいずれか１項に記載の光学シート。
【請求項５】
前記等方性媒体層の屈折率は、前記異方性媒体層の第１方向の屈折率と等しい請求項１ないし４のいずれか１項に記載の光学シート。
【請求項６】
前記異方性媒体層は、ネマティック液晶またはこのネマティク液晶をポリマ化した材料で形成されている請求項１ないし５のいずれか１項に記載の光学シート。
【請求項７】
光学的に等方性の媒体で形成され、かつ、第１方向に複数並んで形成されているとともに、それぞれ前記第１方向と直交した第２方向に延びた複数の円弧状の凸部が第１表面に形成された等方性媒体層と、光学的に一軸性の媒体で形成され、かつ、前記第１方向に複数並んで形成されているとともに、それぞれ前記第２方向に延びた複数の円弧状の凹部が第２表面に形成された異方性媒体層と、を有し、前記等方性媒体層および前記異方性媒体層は各凸部と各凹部とが密着した状態で積層された光学シートと、
前記光学シートと対向し、かつ、前記等方性媒体層側に位置した液晶素子と、を備え、
前記液晶素子は、この液晶素子に入射される前記第１方向の偏光を、第１方向の偏光または前記第２方向の偏光として出射させ、
前記光学シートは、前記液晶素子からこの光学シートに入射される前記第１方向の偏光を、偏光方向を維持し、かつ、散乱して出射させるとともに、前記液晶素子からこの光学シートに入射される前記第２方向の偏光を、偏光方向を維持し、かつ、この光学シートの法線方向に集光して出射させる電界制御型パネル。
【請求項８】
前記液晶素子は、前記光学シートと対向した第１透明電極およびこの第１透明電極上に形成された第１配向膜と、
第２透明電極およびこの第２透明電極上に形成された第２配向膜と、
前記第１配向膜および第２配向膜間に狭持された液晶層と、を備え、
前記液晶素子は、前記第１透明電極および第２透明電極間に電圧が印加された状態で入射される偏光を前記第１方向の偏光として出射させるとともに、電圧が印加されていない状態で入射される偏光を第２方向の偏光として出射させる請求項７に記載の電界制御型パネル。
【請求項９】
光学的に等方性の媒体で形成され、かつ、第１方向に複数並んで形成されているとともに、それぞれ前記第１方向と直交した第２方向に延びた複数の円弧状の凸部が第１表面に形成された等方性媒体層と、光学的に一軸性の媒体で形成され、かつ、前記第１方向に複数並んで形成されているとともに、それぞれ前記第２方向に延びた複数の円弧状の凹部が第２表面に形成された異方性媒体層と、を有し、前記等方性媒体層および前記異方性媒体層は各凸部と各凹部とが密着した状態で積層された光学シートと、
前記光学シートの両側に位置した一対の液晶素子と、を備え、
前記等方性媒体層側に位置した液晶素子は、この液晶素子に入射される前記第１方向の偏光を、第１方向の偏光または前記第２方向の偏光として出射させ、
前記光学シートは、前記等方性媒体層側に位置した液晶素子からこの光学シートに入射される前記第１方向の偏光を、偏光方向を維持し、かつ、散乱して出射させるとともに、前記等方性媒体層側に位置した液晶素子からこの光学シートに入射される前記第２方向の偏光を、偏光方向を維持し、かつ、この光学シートの法線方向に集光して出射させ、
前記異方性媒体層側に位置した液晶素子は、前記光学シートからこの液晶素子に入射される前記第１方向の偏光を、偏光方向を維持し、かつ、散乱して出射させるとともに、前記光学シートからこの液晶素子に入射される集光した偏光を、その偏光方向を第１方向に反転させ、かつ、前記法線方向に集光して出射させる電界制御型パネル。
【請求項１０】
前記一対の液晶素子は、前記光学シートと対向した第１透明電極およびこの第１透明電極上に形成された第１配向膜と、
第２透明電極およびこの第２透明電極上に形成された第２配向膜と、
前記第１配向膜および第２配向膜間に狭持された液晶層と、をそれぞれ備え、
前記等方性媒体層側に位置した液晶素子は、この液晶素子の前記第１透明電極および第２透明電極間に電圧が印加された状態で入射される偏光を前記第１方向の偏光として出射させるとともに、電圧が印加されていない状態で入射される偏光を前記第２方向の偏光として出射させ、
前記異方性媒体層側に位置した液晶素子は、この液晶素子の前記第１透明電極および第２透明電極間に電圧が印加された状態で入射される偏光を前記第１方向の偏光として出射させるとともに、電圧が印加されていない状態で入射される偏光を前記第１方向の偏光として出射させる請求項９に記載の電界制御型パネル。
【請求項１１】
前記一対の液晶素子はツイステッドネマティック型であり、前記等方性媒体層側に位置した液晶素子の第１配向膜と対向した液晶分子、および前記異方性媒体層側に位置した液晶素子の第１配向膜と対向した液晶分子の捩れ方向は互いに逆の方向である請求項１０に記載の電界制御型パネル。
【請求項１２】
前記一対の液晶素子は複屈折制御型であり、前記等方性媒体層側に位置した液晶素子の第１配向膜と対向した液晶分子の長軸方向、および前記異方性媒体層側に位置した液晶素子の第１配向膜と対向した液晶分子の長軸方向は、互いに直交している請求項１０に記載の電界制御型パネル。
【請求項１３】
前記等方性媒体層側に位置した液晶素子の外側に設けられた偏光板を備え、
前記偏光板の透過軸の方向は、前記第１方向と平行である請求項７ないし１２のいずれか１項に記載の電界制御型パネル。
【請求項１４】
光学的に等方性の媒体で形成され、かつ、第１方向に複数並んで形成されているとともに、それぞれ前記第１方向と直交した第２方向に延びた複数の円弧状の凸部が第１表面に形成された等方性媒体層と、光学的に一軸性の媒体で形成され、かつ、前記第１方向に複数並んで形成されているとともに、それぞれ前記第２方向に延びた複数の円弧状の凹部が第２表面に形成された異方性媒体層と、を有し、前記等方性媒体層および前記異方性媒体層は各凸部と各凹部とが密着した状態で積層された光学シートと、
前記光学シートと対向し、かつ、前記等方性媒体層側に位置した液晶素子と、
前記液晶素子と対向して設けられたバックライトユニットと、を備え、
前記液晶素子は、この液晶素子に入射される前記第１方向の偏光を、第１方向の偏光または前記第２方向の偏光として出射させ、
前記光学シートは、前記液晶素子からこの光学シートに入射される前記第１方向の偏光を、偏光方向を維持し、かつ、散乱して出射させるとともに、前記液晶素子からこの光学シートに入射される前記第２方向の偏光を、偏光方向を維持し、かつ、この光学シートの法線方向に集光して出射させる照明装置。
【請求項１５】
光学的に等方性の媒体で形成され、かつ、第１方向に複数並んで形成されているとともに、それぞれ前記第１方向と直交した第２方向に延びた複数の円弧状の凸部が第１表面に形成された等方性媒体層と、光学的に一軸性の媒体で形成され、かつ、前記第１方向に複数並んで形成されているとともに、それぞれ前記第２方向に延びた複数の円弧状の凹部が第２表面に形成された異方性媒体層と、を有し、前記等方性媒体層および前記異方性媒体層は各凸部と各凹部とが密着した状態で積層された光学シートと、
前記光学シートの両側に位置した一対の液晶素子と、
前記等方性媒体層側に位置した液晶素子と対向して設けられたバックライトユニットと、を備え、
前記等方性媒体層側に位置した液晶素子は、この液晶素子に入射される前記第１方向の偏光を、第１方向の偏光または前記第２方向の偏光として出射させ、
前記光学シートは、前記等方性媒体層側に位置した液晶素子からこの光学シートに入射される前記第１方向の偏光を、偏光方向を維持し、かつ、散乱して出射させるとともに、前記等方性媒体層側に位置した液晶素子からこの光学シートに入射される前記第２方向の偏光を、偏光方向を維持し、かつ、この光学シートの法線方向に集光して出射させ、
前記異方性媒体層側に位置した液晶素子は、前記光学シートからこの液晶素子に入射される前記第１方向の偏光を、偏光方向を維持し、かつ、散乱して出射させるとともに、前記光学シートからこの液晶素子に入射される集光した偏光を、その偏光方向を第１方向に反転させ、かつ、前記法線方向に集光して出射させる照明装置。
【請求項１６】
前記等方性媒体層側に位置した液晶素子およびバックライトユニット間に設けられた偏光板を備え、
前記偏光板の透過軸の方向は、前記第１方向と平行である請求項１４または１５に記載の照明装置。
【請求項１７】
光学的に等方性の媒体で形成され、かつ、第１方向に複数並んで形成されているとともに、それぞれ前記第１方向と直交した第２方向に延びた複数の円弧状の凸部が第１表面に形成された等方性媒体層と、光学的に一軸性の媒体で形成され、かつ、前記第１方向に複数並んで形成されているとともに、それぞれ前記第２方向に延びた複数の円弧状の凹部が第２表面に形成された異方性媒体層と、を有し、前記等方性媒体層および前記異方性媒体層は各凸部と各凹部とが密着した状態で積層された光学シートと、
前記光学シートと対向し、かつ、前記等方性媒体層側に位置した液晶素子と、
前記液晶素子と対向して設けられたバックライトユニットと、を含む照明装置と、
アレイ基板と、前記アレイ基板に隙間を置いて対向配置された対向基板と、前記アレイ基板および対向基板間に狭持された液晶層と、を含む液晶表示パネルと、を備え、
前記アレイ基板および光学シートは対向して設けられ、
前記液晶素子は、この液晶素子に入射される前記第１方向の偏光を、第１方向の偏光または前記第２方向の偏光として出射させ、
前記光学シートは、前記液晶素子からこの光学シートに入射される前記第１方向の偏光を、偏光方向を維持し、かつ、散乱して出射させるとともに、前記液晶素子からこの光学シートに入射される前記第２方向の偏光を、偏光方向を維持し、かつ、この光学シートの法線方向に集光して出射させる液晶表示装置。
【請求項１８】
光学的に等方性の媒体で形成され、かつ、第１方向に複数並んで形成されているとともに、それぞれ前記第１方向と直交した第２方向に延びた複数の円弧状の凸部が第１表面に形成された等方性媒体層と、光学的に一軸性の媒体で形成され、かつ、前記第１方向に複数並んで形成されているとともに、それぞれ前記第２方向に延びた複数の円弧状の凹部が第２表面に形成された異方性媒体層と、を有し、前記等方性媒体層および前記異方性媒体層は各凸部と各凹部とが密着した状態で積層された光学シートと、
前記光学シートの両側に位置した一対の液晶素子と、
前記等方性媒体層側に位置した液晶素子と対向して設けられたバックライトユニットと、を含む照明装置と、
アレイ基板と、前記アレイ基板に隙間を置いて対向配置された対向基板と、前記アレイ基板および対向基板間に狭持された液晶層と、を含む液晶表示パネルと、を備え、
前記アレイ基板および異方性媒体層側に位置した液晶素子は対向して設けられ、
前記等方性媒体層側に位置した液晶素子は、この液晶素子に入射される前記第１方向の偏光を、第１方向の偏光または前記第２方向の偏光として出射させ、
前記光学シートは、前記等方性媒体層側に位置した液晶素子からこの光学シートに入射される前記第１方向の偏光を、偏光方向を維持し、かつ、散乱して出射させるとともに、前記等方性媒体層側に位置した液晶素子からこの光学シートに入射される前記第２方向の偏光を、偏光方向を維持し、かつ、この光学シートの法線方向に集光して出射させ、
前記異方性媒体層側に位置した液晶素子は、前記光学シートからこの液晶素子に入射される前記第１方向の偏光を、偏光方向を維持し、かつ、散乱して出射させるとともに、前記光学シートからこの液晶素子に入射される集光した偏光を、その偏光方向を第１方向に反転させ、かつ、前記法線方向に集光して出射させる液晶表示装置。
【請求項１９】
前記等方性媒体層側に位置した液晶素子およびバックライトユニット間に設けられた偏光板を備え、
前記偏光板の透過軸の方向は、前記第１方向と平行である請求項１７または１８に記載の液晶表示装置。
【請求項２０】
前記対向基板の外面側に設けられた他の偏光板を備え、
前記他の偏光板の透過軸の方向は、前記第１方向と平行である請求項１９に記載の液晶表示装置。
【請求項２１】
前記等方性媒体層側に位置した液晶素子およびバックライトユニット間に設けられた第１偏光板と、
前記対向基板の外面側に設けられた第２偏光板と、
前記異方性媒体層側に位置した液晶素子およびアレイ基板間に設けられた第３偏光板と、を備え、
前記第１偏光板、第２偏光板、および第３偏光板の透過軸の方向は、それぞれ前記第１方向と平行である請求項１８に記載の液晶表示装置。
【請求項２２】
第１方向に複数並んで形成されているとともに、それぞれ前記第１方向と直交した第２方向に延びた複数の円弧状の凸部が第１表面に形成された等方性媒体層を用意し、
前記用意した前記等方性媒体層の第１表面にネマティック液晶ポリマを滴下、塗布、または充填し、
前記各凸部に密着した状態で、前記第１方向に複数並んで形成されているとともに、それぞれ前記第２方向に延びた複数の円弧状の凹部が第２表面に形成された異方性媒体層を積層する光学シートの製造方法。
【請求項２３】
第１方向に複数並んで形成されているとともに、それぞれ前記第１方向と直交した第２方向に延びた複数の円弧状の凸部が第１表面に形成された等方性媒体層を用意し、
前記用意した前記等方性媒体層の第１表面にネマティック液晶を滴下、塗布、または充填し、
前記各凸部に密着した状態で、前記第１方向に複数並んで形成されているとともに、それぞれ前記第２方向に延びた複数の円弧状の凹部が第２表面に形成された異方性媒体層を積層する光学シートの製造方法。
【請求項２４】
第１方向に複数並んで形成されているとともに、それぞれ前記第１方向と直交した第２方向に延びた複数の円弧状の凸部が第１表面に形成された等方性媒体層を用意し、
前記用意した前記等方性媒体層の第１表面にネマティック液晶を滴下、塗布、または充填し、
前記滴下、塗布、または充填したネマティック液晶に紫外線を照射してこのネマティック液晶をポリマ化し、
前記各凸部に密着した状態で、前記第１方向に複数並んで形成されているとともに、それぞれ前記第２方向に延びた複数の円弧状の凹部が第２表面に形成された異方性媒体層を積層する光学シートの製造方法。